(57)【要約】  オンライン支払プロセスにおけるデータ処理方法および装置であり、オンライン支払プロセスにおける方法は、支払人が最初に、支払人と受取人との間の支払合意を確立するために必要な回収情報を取得し、支払合意が回収情報に従って受取人によって戻され、支払人が支払合意における回収情報を検証した後に、受取人口座に支払を行うことを含む。
2021515285.tif 000002
【特許請求の範囲】
【請求項１】
オンライン支払プロセスにおけるデータ処理のための方法であって、
オンライン支払要求を受信した後、指定されたアイテムの回収情報を受取人クライアントデバイスに要求するステップであって、受取人ユーザとの支払合意を確立するために、前記指定されたアイテムの前記回収情報が使用される、ステップと、
前記回収情報に基づいて前記受取人クライアントデバイスによって戻された支払合意を取得した後、前記回収情報についての支払人ユーザの承認命令を受信した場合、回収口座に金額を支払うステップと
を含む方法。
【請求項２】
指定されたアイテムの回収情報を受取人クライアントデバイスに要求する前記ステップの前に、
動作インターフェース上で回収情報アイテムを選択するためのポップアップウィンドウをプッシュするステップと、
前記ポップアップウィンドウ上の回収情報アイテムについての前記支払人ユーザの選択命令を受信するステップと、
前記選択命令に基づいて、前記指定されたアイテムを決定するステップと
をさらに含む、請求項1に記載の方法。
【請求項３】
指定されたアイテムの前記回収情報を受取人クライアントデバイスに要求する前記ステップの前に、
前記支払人ユーザによってアップロードされたファイルを受信するステップであって、前記指定されたアイテムが前記ファイルに記録されている、ステップ
をさらに含む、請求項1に記載の方法。
【請求項４】
支払情報を前記受取人クライアントデバイスに送信するステップ
をさらに含む、請求項1に記載の方法。
【請求項５】
指定されたアイテムの回収情報を受取人クライアントデバイスに要求する前記ステップは、
前記支払情報および前記指定されたアイテムに基づいて支払合意を生成するステップと、
前記回収情報を要求するために、前記支払合意を前記受取人クライアントデバイスに送信するステップと
を含む、請求項4に記載の方法。
【請求項６】
前記支払情報は、前記支払人ユーザの識別情報、支払方法、支払口座、および/または支払金額のうちの少なくともいずれか1つを含む、請求項4に記載の方法。
【請求項７】
回収口座に金額を支払う前記ステップは、
支払資産を前記回収口座に送金するようサードパーティ口座に要求するステップであって、前記支払資産は、前記オンライン支払要求が受信された後、支払口座から前記サードパーティ口座に送金される資産である、ステップ
を含む、請求項1に記載の方法。
【請求項８】
回収口座に金額を支払う前記ステップは、
支払資産の凍結を解除するようサーバに要求するステップであって、前記支払資産は、前記オンライン支払要求が受信された後、支払口座から前記回収口座に送金され、凍結される資産である、ステップ
を含む、請求項1に記載の方法。
【請求項９】
前記回収情報は、前記受取人ユーザの識別情報を含む、請求項1から8のいずれか一項に記載の方法。
【請求項１０】
前記識別情報は、指紋情報、署名情報、IDカード情報、パスポート情報、企業のクレジットコード情報、企業の公式のスタンプ情報、および/または前記受取人ユーザの識別を承認するために使用されるビデオのうちの少なくともいずれか1つを含む、請求項9に記載の方法。
【請求項１１】
前記回収情報は、支払目的情報、保証情報、返済方法情報、および/または返済期限のうちの少なくともいずれか1つをさらに含む、請求項10に記載の方法。
【請求項１２】
前記返済期限の前に、前記支払金額および前記返済方法情報に基づいて返済資産を送信することに関する情報を受信した場合、返済承認情報を前記受取人クライアントデバイスに戻すステップ
をさらに含む、請求項11に記載の方法。
【請求項１３】
前記返済期限の前に、前記支払金額および前記返済方法情報に基づいて返済資産を送信することに関する情報を受信していない場合、前記回収口座を凍結するよう前記サーバに要求するステップ
をさらに含む、請求項11に記載の方法。
【請求項１４】
前記返済期限の前に、前記支払金額および前記返済方法情報に基づいて返済資産を送信することに関する情報を受信していない場合、前記回収口座の口座クレジットスコアを差し引くよう前記サーバに要求するステップ
をさらに含む、請求項11に記載の方法。
【請求項１５】
所定の時間期間内に、前記受取人クライアントデバイスによって戻された回収情報を受信していない場合、タイムアウトプロンプト情報を前記受取人クライアントデバイスに送信するステップ
をさらに含む、請求項1に記載の方法。
【請求項１６】
所定の時間期間内に、前記受取人クライアントデバイスによって戻された回収情報を受信していない場合、支払資産取出し要求をサードパーティ口座に送信するステップであって、前記支払資産は、前記オンライン支払要求が受信された後、支払口座から前記サードパーティ口座に送金される資産である、ステップ
をさらに含む、請求項1に記載の方法。
【請求項１７】
所定の時間期間内に、前記受取人クライアントデバイスによって戻された回収情報を受信していない場合、支払資産取出し要求をサーバに送信するステップであって、前記支払資産は、前記オンライン支払要求が受信された後、支払口座から前記回収口座に送金され、凍結される資産である、ステップ
をさらに含む、請求項1に記載の方法。
【請求項１８】
回収口座に金額を支払う前記ステップの前に、
前記支払人ユーザによって入力された支払パスワードを受信するステップと、
前記支払パスワードを検証するステップと
をさらに含む、請求項1に記載の方法。
【請求項１９】
オンライン支払プロセスにおけるデータ処理のための方法であって、
支払人クライアントデバイスによって送信された回収情報取得要求を受信するステップであって、前記回収情報取得要求は、指定されたアイテムの回収情報を取得するために使用され、前記指定されたアイテムの前記回収情報は、支払人ユーザと支払合意を確立するために使用される、ステップと、
前記回収情報取得要求に基づいて対応する回収情報を取得し、前記回収情報に基づいて支払合意を生成し、前記回収情報を前記支払人クライアントデバイスに送信するステップと、
支払資産を受信するステップであって、前記支払資産は、前記支払人クライアントデバイスが前記回収情報について前記支払人ユーザの承認命令を受信した後に前記支払人クライアントデバイスによって支払われる、ステップと
を含む方法。
【請求項２０】
前記回収情報取得要求に基づいて前記対応する回収情報を取得する前記ステップは、
回収口座にバインドされた回収情報を読み取るステップと、
前記回収情報取得要求に基づいて、前記回収情報から前記対応する回収情報を選択するステップと
を含む、請求項19に記載の方法。
【請求項２１】
前記支払人クライアントデバイスによって送信された支払情報を受信するステップ
をさらに含む、請求項20に記載の方法。
【請求項２２】
前記支払合意は、前記支払情報をさらに含む、請求項21に記載の方法。
【請求項２３】
前記支払情報は、前記支払人ユーザの識別情報、支払方法、支払口座、および/または支払金額のうちの少なくともいずれか1つを含む、請求項21に記載の方法。
【請求項２４】
前記回収情報は、受取人ユーザの識別情報を含む、請求項19から23のいずれか一項に記載の方法。
【請求項２５】
前記識別情報は、指紋情報、署名情報、IDカード情報、パスポート情報、企業のクレジットコード情報、企業の公式のスタンプ情報、および/または前記受取人ユーザの識別を承認するために使用されるビデオのうちの少なくともいずれか1つを含む、請求項24に記載の方法。
【請求項２６】
IDカードの写真、パスポートの写真、企業のクレジットコード証明書の写真、企業の公式のスタンプ写真、および/または、前記受取人ユーザの前記識別を承認するために使用される前記ビデオを取得するために、前記回収情報取得要求に基づいて撮影するためのカメラを呼び出すステップ
をさらに含む、請求項25に記載の方法。
【請求項２７】
前記指紋情報を取得するために、前記回収情報取得要求に基づいて、指紋認識のために指紋認識装置を呼び出すステップ
をさらに含む、請求項25に記載の方法。
【請求項２８】
前記回収情報は、支払目的情報、保証情報、返済方法情報、および/または返済期限のうちの少なくともいずれか1つをさらに含む、請求項25に記載の方法。
【請求項２９】
返済リマインダ情報を前記受取人ユーザにプッシュするステップであって、前記返済リマインダ情報は、前記返済期限の前に、前記支払金額および前記返済方法情報に基づいて前記支払口座に返済資産を送信するように前記受取人ユーザを促すために使用される、ステップ
をさらに含む、請求項28に記載の方法。
【請求項３０】
オンライン支払プロセスにおけるデータ処理のための装置であって、
オンライン支払要求が受信された後、指定されたアイテムの回収情報を受取人クライアントデバイスに要求するように構成された第1の要求モジュールであって、受取人ユーザとの支払合意を確立するために、前記指定されたアイテムの前記回収情報が使用される、第1の要求モジュールと、
前記回収情報に基づいて前記受取人クライアントデバイスによって戻された支払合意が取得された後、前記回収情報についての支払人ユーザの承認命令が受信された場合、回収口座に金額を支払うように構成された支払モジュールと
を含む装置。
【請求項３１】
オンライン支払プロセスにおけるデータ処理のための装置であって、
支払人クライアントデバイスによって送信された回収情報取得要求を受信するように構成された第1の受信モジュールであって、前記回収情報取得要求は、指定されたアイテムの回収情報を取得するために使用され、前記指定されたアイテムの前記回収情報は、支払人ユーザと支払合意を確立するために使用される、第1の受信モジュールと、
前記回収情報取得要求に基づいて対応する回収情報を取得し、前記回収情報に基づいて支払合意を生成し、前記回収情報を前記支払人クライアントデバイスに送信するように構成された取得モジュールと、
支払資産を受信するように構成された回収モジュールであって、前記支払資産は、前記支払人クライアントデバイスが前記回収情報についての前記支払人ユーザの承認命令を受信した後に前記支払人クライアントデバイスによって支払われる、回収モジュールと
を含む装置。
【請求項３２】
コンピュータプログラムを記憶したコンピュータ可読記憶媒体であって、前記プログラムがプロセッサによって実行されると、請求項1から29のいずれか一項に記載の方法が実施される、コンピュータ可読記憶媒体。
【請求項３３】
メモリと、プロセッサと、前記メモリに記憶され、前記プロセッサ上で実行可能なコンピュータプログラムとを備え、前記プロセッサが、前記プログラムを実行すると、請求項1から29のいずれか一項に記載の方法を実施する、コンピュータデバイス。
【発明の詳細な説明】
【技術分野】
【０００１】
本明細書は、データ処理技術の分野に関し、詳細には、オンライン支払プロセスにおけるデータ処理のための方法および装置に関する。
【背景技術】
【０００２】
通信技術の継続的な開発により、より多くのユーザはオンライン支払方法を使用し始めている。オンライン支払方法によって、キャッシュレス取引を実現するために、支払人ユーザ(payer user)のオンライン銀行口座またはサードパーティ電子支払システム口座(すなわち、支払口座)の資産を受取人ユーザ(payee user)のオンライン銀行口座またはサードパーティ電子支払システム口座(すなわち、回収口座(collection account))に送金し、それによって、支払の利便性を向上させることができる。
【発明の概要】
【発明が解決しようとする課題】
【０００３】
したがって、オンライン支払は、次第に重要な支払方法になっている。より安全で信頼性の高いオンライン支払方法を提供する必要がある。
【課題を解決するための手段】
【０００４】
関連技術の問題を軽減するために、本明細書の1つまたは複数の実装形態は、オンライン支払プロセスにおけるデータ処理のための方法および装置を提供する。
【０００５】
本明細書の実装形態の第1の態様によれば、オンライン支払プロセスにおけるデータ処理のための方法が提供され、この方法は、オンライン支払要求を受信した後、指定されたアイテムの回収情報を受取人クライアントデバイスに要求するステップであり、受取人ユーザとの支払合意(payment agreement)を確立するために、指定されたアイテムの回収情報が使用される、ステップと、回収情報に基づいて受取人クライアントデバイスによって戻された支払合意を取得した後、回収情報についての支払人ユーザの承認命令(acknowledgment instruction)を受信した場合、回収口座に金額を支払うステップとを含む。
【０００６】
さらに、指定されたアイテムの回収情報を受取人クライアントデバイスに要求する前に、この方法は、動作インターフェース上で回収情報アイテムを選択するためのポップアップウィンドウをプッシュするステップと、ポップアップウィンドウ上の回収情報アイテムについての支払人ユーザの選択命令を受信するステップと、選択命令に基づいて、指定されたアイテムを決定するステップとをさらに含む。
【０００７】
さらに、指定されたアイテムの回収情報を受取人クライアントデバイスに要求する前に、この方法は、支払人ユーザによってアップロードされたファイルを受信するステップであり、指定されたアイテムがファイルに記録されている、ステップをさらに含む。
【０００８】
さらに、この方法は、支払情報を受取人クライアントデバイスに送信するステップをさらに含む。
【０００９】
さらに、指定されたアイテムの回収情報を受取人クライアントデバイスに要求するステップは、支払情報および指定されたアイテムに基づいて支払合意を生成するステップと、回収情報を要求するために、支払合意を受取人クライアントデバイスに送信するステップとを含む。
【００１０】
さらに、支払情報は、支払人ユーザの識別情報、支払方法、支払口座、および/または支払金額のうちの少なくともいずれか1つを含む。
【００１１】
さらに、回収口座に金額を支払うステップは、支払資産を回収口座に送金するようサードパーティ口座に要求するステップであり、支払資産は、オンライン支払要求が受信された後、支払口座からサードパーティ口座に送金される資産である、ステップを含む。
【００１２】
さらに、回収口座に金額を支払うステップは、支払資産の凍結を解除するようサーバに要求するステップであり、支払資産は、オンライン支払要求が受信された後、支払口座から回収口座に送金され、凍結される資産である、ステップを含む。
【００１３】
さらに、回収情報は、受取人ユーザの識別情報を含む。
【００１４】
さらに、識別情報は、指紋情報、署名情報、IDカード情報、パスポート情報、企業のクレジットコード情報、企業の公式のスタンプ情報、および/または受取人ユーザの識別を承認するために使用されるビデオのうちの少なくともいずれか1つを含む。
【００１５】
さらに、回収情報は、支払目的情報、保証情報、返済方法情報、および/または返済期限のうちの少なくともいずれか1つをさらに含む。
【００１６】
さらに、この方法は、返済期限の前に、支払金額および返済方法情報に基づいて返済資産を送信することに関する情報を受信した場合、返済承認情報を受取人クライアントデバイスに戻すステップをさらに含む。
【００１７】
さらに、この方法は、返済期限の前に、支払金額および返済方法情報に基づいて返済資産を送信することに関する情報を受信していない場合、回収口座を凍結するようサーバに要求するステップをさらに含む。
【００１８】
さらに、この方法は、返済期限の前に、支払金額および返済方法情報に基づいて返済資産を送信することに関する情報を受信していない場合、回収口座の口座クレジットスコアを差し引くようサーバに要求するステップをさらに含む。
【００１９】
さらに、この方法は、所定の時間期間内に、受取人クライアントデバイスによって戻された回収情報を受信していない場合、タイムアウトプロンプト情報を受取人クライアントデバイスに送信するステップをさらに含む。
【００２０】
さらに、この方法は、所定の時間期間内に、受取人クライアントデバイスによって戻された回収情報を受信していない場合、支払資産取出し要求をサードパーティ口座に送信するステップであり、支払資産は、オンライン支払要求が受信された後、支払口座からサードパーティ口座に送金される資産である、ステップをさらに含む。
【００２１】
さらに、この方法は、所定の時間期間内に、受取人クライアントデバイスによって戻された回収情報を受信していない場合、支払資産取出し要求をサーバに送信するステップであり、支払資産は、オンライン支払要求が受信された後、支払口座から回収口座に送金され、凍結される資産である、ステップをさらに含む。
【００２２】
さらに、回収口座に金額を支払う前に、この方法は、支払人ユーザによって入力された支払パスワードを受信するステップと、支払パスワードを検証するステップとをさらに含む。
【００２３】
本明細書の実装形態の第2の態様によれば、オンライン支払プロセスにおけるデータ処理のための方法が提供され、この方法は、支払人クライアントデバイスによって送信された回収情報取得要求を受信するステップであり、回収情報取得要求は、指定されたアイテムの回収情報を取得するために使用され、指定されたアイテムの回収情報は、支払人ユーザと支払合意を確立するために使用される、ステップと、回収情報取得要求に基づいて対応する回収情報を取得し、回収情報に基づいて支払合意を生成し、回収情報を支払人クライアントデバイスに送信するステップと、支払資産を受信するステップであり、支払資産は、支払人クライアントデバイスが回収情報についての支払人ユーザの承認命令を受信した後に支払人クライアントデバイスによって支払われる、ステップとを含む。
【００２４】
さらに、回収情報取得要求に基づいて対応する回収情報を取得するステップは、回収口座にバインドされた回収情報を読み取るステップと、回収情報取得要求に基づいて、回収情報から対応する回収情報を選択するステップとを含む。
【００２５】
さらに、この方法は、支払人クライアントデバイスによって送信された支払情報を受信するステップをさらに含む。
【００２６】
さらに、支払合意は、支払情報をさらに含む。
【００２７】
さらに、支払情報は、支払人ユーザの識別情報、支払方法、支払口座、および/または支払金額のうちの少なくともいずれか1つを含む。
【００２８】
さらに、回収情報は、受取人ユーザの識別情報を含む。
【００２９】
さらに、識別情報は、指紋情報、署名情報、IDカード情報、パスポート情報、企業のクレジットコード情報、企業の公式のスタンプ情報、および/または受取人ユーザの識別を承認するために使用されるビデオのうちの少なくともいずれか1つを含む。
【００３０】
さらに、この方法は、IDカードの写真、パスポートの写真、企業のクレジットコード証明書の写真、企業の公式のスタンプ写真、および/または、受取人ユーザの識別を承認するために使用されるビデオを取得するために、回収情報取得要求に基づいて撮影するためのカメラを呼び出すステップをさらに含む。
【００３１】
さらに、この方法は、指紋情報を取得するために、回収情報取得要求に基づいて、指紋認識のために指紋認識装置を呼び出すステップをさらに含む。
【００３２】
さらに、回収情報は、支払目的情報、保証情報、返済方法情報、および/または返済期限のうちの少なくともいずれか1つをさらに含む。
【００３３】
さらに、この方法は、返済リマインダ情報を受取人ユーザにプッシュするステップであり、返済リマインダ情報は、返済期限の前に、支払金額および返済方法情報に基づいて支払口座に返済資産を送信するように受取人ユーザを促すために使用される、ステップをさらに含む。
【００３４】
本明細書の実装形態の第3の態様によれば、オンライン支払プロセスにおけるデータ処理のための装置が提供され、この装置は、オンライン支払要求が受信された後、指定されたアイテムの回収情報を受取人クライアントデバイスに要求するように構成された第1の要求モジュールであり、受取人ユーザとの支払合意を確立するために、指定されたアイテムの回収情報が使用される、第1の要求モジュールと、回収情報に基づいて受取人クライアントデバイスによって戻された支払合意が取得された後、回収情報についての支払人ユーザの承認命令が受信された場合、回収口座に金額を支払うように構成された支払モジュールとを含む。
【００３５】
さらに、この装置は、動作インターフェース上で回収情報アイテムを選択するためのポップアップウィンドウをプッシュするように構成された表示モジュールと、ポップアップウィンドウ上の回収情報アイテムについての支払人ユーザの選択命令を受信するように構成された第2の受信モジュールと、選択命令に基づいて指定されたアイテムを決定するように構成された決定モジュールとをさらに含む。
【００３６】
さらに、この装置は、支払人ユーザによってアップロードされたファイルを受信するように構成された第3の受信モジュールであり、指定されたアイテムはファイルに記録される、第3の受信モジュールをさらに含む。
【００３７】
さらに、この装置は、支払情報を受取人クライアントデバイスに送信するように構成された第1の送信モジュールをさらに含む。
【００３８】
さらに、第1の要求モジュールは、支払情報および指定されたアイテムに基づいて支払合意を生成するように構成された合意生成ユニットと、回収情報を要求するために、支払合意を受取人クライアントデバイスに送信するように構成された第1の要求ユニットとを含む。
【００３９】
さらに、支払情報は、支払人ユーザの識別情報、支払方法、支払口座、および/または支払金額のうちの少なくともいずれか1つを含む。
【００４０】
さらに、支払モジュールは、支払資産を回収口座に送金するようサードパーティ口座に要求するように構成された第2の要求ユニットであり、支払資産は、オンライン支払要求が受信された後、支払口座からサードパーティ口座に送金される資産である、第2の要求ユニットを含む。
【００４１】
さらに、支払モジュールは、支払資産の凍結を解除するようサーバに要求するように構成された第3の要求ユニットであり、支払資産は、オンライン支払要求が受信された後、支払口座から回収口座に送金され、凍結される資産である、第3の要求ユニットを含む。
【００４２】
さらに、回収情報は、受取人ユーザの識別情報を含む。
【００４３】
さらに、識別情報は、指紋情報、署名情報、IDカード情報、パスポート情報、企業のクレジットコード情報、企業の公式のスタンプ情報、および/または受取人ユーザの識別を承認するために使用されるビデオのうちの少なくともいずれか1つを含む。
【００４４】
さらに、回収情報は、支払目的情報、保証情報、返済方法情報、および/または返済期限のうちの少なくともいずれか1つをさらに含む。
【００４５】
さらに、この装置は、返済期限前に、支払金額および返済方法情報に基づいて返済資産を送信することに関する情報が受信された場合、返済承認情報を受取人クライアントデバイスに戻すように構成された返却モジュールをさらに含む。
【００４６】
さらに、この装置は、返済期限の前に、支払金額および返済方法情報に基づいて返済資産を送信することに関する情報が受信されていない場合、回収口座を凍結するようサーバに要求するように構成された第2の要求モジュールをさらに含む。
【００４７】
さらに、この装置は、返済期限の前に、支払金額および返済方法情報に基づいて送信された返済資産が受信されていない場合、回収口座の口座クレジットスコアを差し引くようサーバに要求するように構成された第3の要求モジュールをさらに含む。
【００４８】
さらに、この装置は、所定の時間期間内に、受取人クライアントデバイスによって戻された回収情報が受信されていない場合、タイムアウトプロンプト情報を受取人クライアントデバイスに送信するように構成された第2の送信モジュールをさらに含む。
【００４９】
さらに、この装置は、所定の時間期間内に、受取人クライアントデバイスによって戻された回収情報が受信されていない場合、支払資産取出し要求をサードパーティ口座に送信するように構成された第3の送信モジュールであり、オンライン支払要求が受信された後、支払口座からサードパーティ口座に送金される資産である、第3の送信モジュールをさらに含む。
【００５０】
さらに、この装置は、所定の時間期間内に、受取人クライアントデバイスによって戻された回収情報が受信されていない場合、支払資産取出し要求をサーバに送信するように構成された第4の送信モジュールであり、支払資産は、オンライン支払要求が受信された後、支払口座から回収口座に送金され、凍結される資産である、第4の送信モジュールをさらに含む。
【００５１】
さらに、この装置は、支払人ユーザによって入力された支払パスワードを受信するように構成された第4の受信モジュール、および支払パスワードを検証するように構成された検証モジュールをさらに含む。
【００５２】
本明細書の実装形態の第4の態様によれば、オンライン支払プロセスにおけるデータ処理のための装置が提供され、この装置は、支払人クライアントデバイスによって送信された回収情報取得要求を受信するように構成された第1の受信モジュールであり、回収情報取得要求は、指定されたアイテムの回収情報を取得するために使用され、指定されたアイテムの回収情報は、支払人ユーザと支払合意を確立するために使用される、第1の受信モジュールと、回収情報取得要求に基づいて対応する回収情報を取得し、回収情報に基づいて支払合意を生成し、回収情報を支払人クライアントデバイスに送信するように構成された取得モジュールと、支払資産を受信するように構成された回収モジュール(collection module)であり、支払資産は、支払人クライアントデバイスが回収情報についての支払人ユーザの承認命令を受信した後に支払人クライアントデバイスによって支払われる、回収モジュールとを含む。
【００５３】
さらに、取得モジュールは、回収口座にバインドされた回収情報を読み取るように構成された読取りユニットと、回収情報取得要求に基づいて、回収情報から対応する回収情報を選択するように構成された選択ユニットとを含む。
【００５４】
さらに、この装置は、支払人クライアントデバイスによって送信された支払情報を受信するように構成された第5の受信モジュールをさらに含む。
【００５５】
さらに、支払合意は、支払情報をさらに含む。
【００５６】
さらに、支払情報は、支払人ユーザの識別情報、支払方法、支払口座、および/または支払金額のうちの少なくともいずれか1つを含む。
【００５７】
さらに、回収情報は、受取人ユーザの識別情報を含む。
【００５８】
さらに、識別情報は、指紋情報、署名情報、IDカード情報、パスポート情報、企業のクレジットコード情報、企業の公式のスタンプ情報、および/または受取人ユーザの識別を承認するために使用されるビデオのうちの少なくともいずれか1つを含む。
【００５９】
さらに、この装置は、IDカードの写真、パスポートの写真、企業のクレジットコード証明書の写真、企業の公式のスタンプ写真、および/または、受取人ユーザの識別を承認するために使用されるビデオを取得するために、回収情報取得要求に基づいて撮影するためのカメラを呼び出すように構成された撮影モジュールをさらに含む。
【００６０】
さらに、この装置は、指紋情報を取得するために、回収情報取得要求に基づいて、指紋認識のために指紋認識装置を呼び出すように構成された指紋認識モジュールをさらに含む。
【００６１】
さらに、回収情報は、支払目的情報、保証情報、返済方法情報、および/または返済期限のうちの少なくともいずれか1つをさらに含む。
【００６２】
さらに、この装置は、返済リマインダ情報を受取人ユーザにプッシュするように構成されたリマインダモジュールであり、返済リマインダ情報は、返済期限の前に、支払金額および返済方法情報に基づいて支払口座に返済資産を送信するように受取人ユーザを促すために使用される、リマインダモジュールをさらに含む。
【００６３】
本明細書の実装形態の第5の態様によれば、コンピュータ可読記憶媒体が提供され、コンピュータ可読記憶媒体は、コンピュータプログラムを記憶し、プログラムがプロセッサによって実行されると、本明細書の実装形態のうちのいずれか1つによる方法が実施される。
【００６４】
本明細書の実装形態の第6の態様によれば、コンピュータデバイスが提供され、コンピュータデバイスは、メモリ、プロセッサ、およびメモリに記憶され、プロセッサ上で実行することができるコンピュータプログラムを含み、プロセッサは、プログラムを実行すると、本明細書の実装形態のうちのいずれか1つによる方法を実施する。
【００６５】
本明細書の実装形態において提供される技術的解決策は、以下の有益な効果を達成することができる。
【００６６】
本明細書の実装形態では、オンライン支払プロセスにおいて、支払人は、最初に、必要な回収情報を取得し、次いで、受取人が対応する回収情報を戻し、支払人が回収情報を承認した後にのみ、回収口座に金額を支払う。したがって、オンライン支払プロセスのセキュリティが向上する。
【００６７】
前述の一般的な説明および以下の詳細な説明は、単なる例および説明であり、本明細書を限定することはできないことを理解する価値がある。
【００６８】
本明細書での添付の図面は、本明細書に組み込まれ、本明細書の一部を構成し、本明細書と一致する実装形態を示し、本明細書とともに本明細書の原理を説明するのに役立つ。
【図面の簡単な説明】
【００６９】
【図１】本明細書の一実装形態による、オンライン支払システムを示すアーキテクチャの図である。
【図２】本明細書の一実装形態による、オンライン支払プロセスにおけるデータ処理のための方法を示すフローチャートである。
【図３（Ａ）】本明細書の一実装形態による、オンライン支払プロセスにおける動作インターフェースの概略図である。
【図３（Ｂ）】本明細書の一実装形態による、オンライン支払プロセスにおける動作インターフェースの概略図である。
【図３（Ｃ）】本明細書の一実装形態による、オンライン支払プロセスにおける動作インターフェースの概略図である。
【図３（Ｄ）】本明細書の一実装形態による、オンライン支払プロセスにおける動作インターフェースの概略図である。
【図３（Ｅ）】本明細書の一実装形態による、オンライン支払プロセスにおける動作インターフェースの概略図である。
【図３（Ｆ）】本明細書の一実装形態による、オンライン支払プロセスにおける動作インターフェースの概略図である。
【図３（Ｇ）】本明細書の一実装形態による、オンライン支払プロセスにおける動作インターフェースの概略図である。
【図３（Ｈ）】本明細書の一実装形態による、オンライン支払プロセスにおける動作インターフェースの概略図である。
【図３（Ｉ）】本明細書の一実装形態による、オンライン支払プロセスにおける動作インターフェースの概略図である。
【図４】本明細書の別の実装形態による、オンライン支払プロセスにおけるデータ処理のための方法を示すフローチャートである。
【図５】本明細書の一実装形態による、オンライン支払プロセスにおけるデータ処理のための装置を示す概略構造図である。
【図６】本明細書の別の実装形態による、オンライン支払プロセスにおけるデータ処理のための装置を示す概略構造図である。
【図７】本明細書の一実装形態による、オンライン支払プロセスにおけるデータ処理のための装置が配置されているコンピュータデバイスを示すブロック図である。
【発明を実施するための形態】
【００７０】
本明細書では、例示的な実装形態が詳細に記載され、実装形態の例が添付の図面に提示されている。以下の説明が添付の図面に関するとき、別段の指定がない限り、異なる添付の図面の同じ番号は、同じまたは同様の要素を表す。以下の例示的な実装形態において記載される実装形態は、本明細書と一致するすべての実装形態を表すものではない。むしろ、実装形態は、添付の特許請求の範囲に詳細に記載され、本明細書のいくつかの態様と一致する装置および方法の例にすぎない。
【００７１】
本明細書の実装形態で使用される用語は、特定の実装形態を記載するためにのみ使用され、本明細書を限定するものではない。本明細書の実装形態および添付の特許請求の範囲で使用される単数形の「a」および「the」の用語は、文脈で明確に指定されていない限り、複数形も含むものとする。本明細書で使用される「および/または」という用語は、1つまたは複数の関連する列挙された項目のありとあらゆる可能な組合せを示し、含むことをさらに理解する価値がある。
【００７２】
様々なタイプの情報を説明するために、本明細書の実装形態において「第1」、「第2」、「第3」などの用語が使用され得るが、情報は、これらの用語に限定されないことを理解する価値がある。これらの用語は、同じタイプの情報を区別するためにのみ使用される。たとえば、本明細書の範囲から逸脱することなく、「第1の情報」は「第2の情報」と呼ぶこともでき、同様に、「第2の情報」は「第1の情報」と呼ぶこともできる。たとえば、本明細書で使用される「〜の場合」という単語は、状況に応じて、「〜の間」、「〜のとき」、または「決定に応じて」と説明することができる。
【００７３】
オンライン支払は、ネットワークを介して資産決済サービスが実行される支払方法である。オンライン支払プロセスでは、資産をある口座から別の口座に送金することができる。資産を支払う当事者は支払人であり、資産を支払う口座は支払口座である。資産を回収する当事者は受取人であり、資産を回収する口座は回収口座である。口座は、ユーザ名、口座番号、口座残高などの情報を含み得る。資産は、RMBやドルなど国の法定通貨、またはQB、ビットコイン、JingBean、Taoゴールドコインなどの仮想通貨とすることができる。
【００７４】
図1に示されるように、本明細書の一実装形態におけるオンライン支払システム100は、支払人クライアントデバイス102、および受取人クライアントデバイス108を含むことができる。支払人クライアントデバイス102および受取人クライアントデバイス108は各々、インテリジェント端末にインストールされ、たとえば、ALIPAY APP、WeChat APP、およびオンライン銀行APPなどのオンライン支払機能を実装するように構成されたアプリケーション(APP)とすることができる。図1は、この実装形態における支払人クライアントデバイスの動作インターフェースおよび受取人クライアントデバイスの動作インターフェースを示す。支払人クライアントデバイスの動作インターフェースは、ユーザ名(たとえば、Zhang San)、関連する携帯電話番号(たとえば、136****00)、総資産、および支払人の口座残高などの情報を含み得る。同様に、受取人クライアントデバイスの動作インターフェースは、ユーザ名(たとえば、Li Si)、関連する携帯電話番号(たとえば、138****88)、総資産、および受取人の口座残高などの情報を含み得る。もちろん、実際のクライアントデバイスの動作インターフェースは、これに限定されない。
【００７５】
図1に示されるように、支払人クライアントデバイス102は、インテリジェント端末104にインストールされ、受取人クライアントデバイス108は、インテリジェント端末110にインストールされる。インテリジェント端末は、携帯電話、タブレットコンピュータ、またはノートブックコンピュータなど、データ処理および通信機能を有する電子デバイスとすることができる。オンライン支払プロセスでは、インテリジェント端末104の支払人クライアントデバイス102は、ネットワークを介してインテリジェント端末110の受取人クライアントデバイス108と直接または間接的にデータを交換することができる。たとえば、支払人クライアントデバイス102は、ネットワークを介してデータをサーバに送信することができ、次いで、サーバは、ネットワークを介してデータを受取人クライアントデバイス108に転送する。支払人クライアントデバイス102は、支払口座の資産を取得することもできる。データ交換および資産取得を介して、口座資金の変更を制御したり、リマインドしたりすることができる。支払人ユーザ106は、インテリジェント端末104を操作して、支払人クライアントデバイス102を使用して、支払人クライアントデバイスの開始、オンライン支払の実行、支払口座へのログインなどの操作を実行することができる。支払口座は、ある量の資産を有し、オンライン支払を実施するために、その資産を支払口座から回収口座に送金することができる。同様に、受取人ユーザ112は、インテリジェント端末110を操作して、受取人クライアントデバイス108を使用して、受取人クライアントデバイスの開始、オンライン資産回収の実行、および回収口座へのログインなどの操作を実行することができる。
【００７６】
前のシステムアーキテクチャは、本明細書の実装形態が適用可能である唯一のアーキテクチャとして使用され、本明細書の解決策に対する制限として解釈されないものとする。
【００７７】
図2に示されるように、本明細書の一実装形態は、オンライン支払プロセスにおけるデータ処理のための方法を提供する。この方法は、図1に示されるシステムにおける支払人クライアントデバイスによって実行することができる。この方法は、以下のステップ202およびステップ204を含むことができる。
【００７８】
ステップ202:オンライン支払要求を受信した後、指定されたアイテムの回収情報を受取人クライアントデバイスに要求し、受取人ユーザとの支払合意を確立するために、指定されたアイテムの回収情報が使用される。
【００７９】
ステップ204:回収情報に基づいて受取人クライアントデバイスによって戻された支払合意を取得した後、回収情報についての支払人ユーザの承認命令を受信した場合、回収口座に金額を支払う。
【００８０】
ステップ202において、支払人クライアントデバイスは、支払人クライアントデバイスにおける支払制御に関して支払人ユーザによって実行された操作を受信することによってオンライン支払要求を受信することができ、または、受取人クライアントデバイス上に表示された回収コードをスキャンすることによってオンライン支払要求を受信することができ、または支払人ユーザによって送信されたオーディオ情報を解析することによってオンライン支払要求を受信することができる。あるいは、支払人クライアントデバイスは、支払コードを受取人クライアントデバイスに表示し、受取人クライアントデバイスが支払コードをスキャンした後に受取人クライアントデバイスによって送信されたオンライン支払要求を受信することができる。回収コードと支払コードの両方は、QRコード(登録商標)、バーコードなどとすることができる。一実装形態では、支払制御を使用してオンライン支払要求を受信する概略図が図3(A)に示されている。支払人ユーザが支払制御302をクリックしたことが検出されると、オンライン支払要求が受信されたことが示される。
【００８１】
指定されたアイテムの回収情報を使用して、オンライン支払の証拠として、受取人ユーザと支払人ユーザとの間の支払合意を確立することができる。指定されたアイテムは、支払人ユーザのニーズに基づいて決定することができる。様々な場合には、支払人ユーザは、異なるアイテムの回収情報を必要とする場合がある。たとえば、受取人ユーザが企業ユーザであるとき、支払人ユーザによって必要とされる回収情報は、企業情報に関連している可能性がある。別の例として、いくつかの場合には、1つまたは複数のタイプの回収情報が無効になる可能性があり、この場合、支払人ユーザは、他のアイテムの回収情報を提供するよう受取人ユーザに要求することができる。様々な適用シナリオに適応するように、実際のニーズに基づいて回収情報が指定され、それによって、解決策の柔軟性が向上する。
【００８２】
一実装形態では、オンライン支払要求が受信された後、回収情報アイテムを選択するためのポップアップウィンドウを支払人クライアントデバイスの動作インターフェースにおいてプッシュすることができ、ポップアップウィンドウ上の回収情報アイテムについての支払人ユーザの選択命令を受信することができ、選択命令に基づいて、指定されたアイテムを決定することができる。図3(B)に示されるように、オンライン支払要求が受信された後、支払人クライアントデバイスの動作インターフェース上でポップアップウィンドウ304がプッシュされ得る。ポップアップウィンドウ304は、オンライン支払目的を表すために使用される送金合意アイテムを含むことができ、必要な受取人識別情報をさらに含むことができる。送金合意アイテムは、ローンオプション、賃借オプション、およびカスタマイズされたオプション(内容を入力するためにユーザによって使用される)など複数のオプションをさらに含むことができる。識別情報アイテムは、指紋オプション、署名オプション、IDカードオプション、ビデオ検証オプションなどを含むことができる。この実装形態では、アイテムを選択するためのポップアップウィンドウが支払人ユーザに直接プッシュされ、したがって、ユーザは、必要な回収情報アイテムを手動で入力する必要がなく、それによって、操作の複雑さが軽減され、ユーザエクスペリエンスが向上する。
【００８３】
別の実装形態では、オンライン支払要求が受信された後、支払人ユーザによってアップロードされたファイルを受信することができ、指定されたアイテムがファイルに記録されている。この実装形態では、ユーザは、必要な回収情報を独立して選択することができ、したがって、ユーザのニーズを可能な限り満たすことができる。加えて、ファイルのアップロードはまた、ユーザの選好に基づいて、ユーザが回収情報オプションの内容およびフォーマットを編集するのを容易にする。
【００８４】
一実装形態では、支払人クライアントデバイスは、さらに、支払情報を受取人クライアントデバイスに送信することができる。支払情報は、オンライン支払要求で運ぶことができる、またはオンライン支払要求の送信前または送信後に送信することができる。支払情報は、支払人が受取人に資産を支払った証拠として使用することができる。支払情報は、支払人ユーザの識別情報、支払方法、支払口座、および/または支払金額のうちの1つまたは複数を含むことができる。支払人ユーザの識別情報は、指紋情報、署名情報、IDカード情報、パスポート情報、企業のクレジットコード情報、企業の公式のスタンプ情報、および/または支払人ユーザの識別を承認するために使用されるビデオのうちの少なくともいずれか1つを含むことができる。支払方法は、支払人ユーザが受取人ユーザに資産を支払うために使用される方法である。たとえば、支払人ユーザは、WeChatやALIPAYなどのサードパーティを使用して資産を受取人ユーザに支払う、またはオンライン銀行を使用して資産を受取人ユーザに支払う。
【００８５】
支払情報が受取人クライアントデバイスに送信され、したがって、受取人は、支払ユーザを承認することができる。あるいは、支払情報は、ユーザによって指定された情報、たとえば、受取人ユーザによって指定された情報とすることができる。図3(C)に示されるように、オンライン支払要求が受信された後、支払インターフェースを支払人ユーザにプッシュすることができ、したがって、支払人ユーザは、支払金額などの支払情報を入力する。
【００８６】
一実装形態では、支払人クライアントデバイスは、支払情報および指定されたアイテムに基づいて支払合意を生成し、回収情報を要求するために支払合意を受取人クライアントデバイスに送信することができる。
【００８７】
図3(D)に示されるように、支払人クライアントデバイスが回収情報を要求した後、サーバは、要求に基づいて支払メッセージを生成し、表示のために支払メッセージを受取人クライアントデバイスに送信することができる。支払人クライアントデバイスが支払金額を送信する場合、支払メッセージは、支払金額(たとえば、図3(D)に示される「12,345円」)を含むことができる。加えて、支払メッセージは、いくつかのテキスト情報(たとえば、図3(D)に示される「支払人が合意の転送を開始する」)をさらに含み、受取人ユーザに時間内に回収情報を提供するように促すことができる。
【００８８】
ステップ204において、回収情報が受信された後、回収情報は支払人ユーザによって承認することができ、次いで、資産が回収口座に支払われ、それによって、オンライン支払セキュリティが向上する。
【００８９】
一実装形態では、オンライン支払中、支払人は、最初に、資産を支払口座からサードパーティ口座に支払うことができ、次いで、資産は、サードパーティ口座から回収口座に支払われる。さらに、回収口座に金額を支払うとき、支払人クライアントデバイスは、支払資産を回収口座に送金するようサードパーティ口座に要求することができ、支払資産は、オンライン支払要求が受信された後、支払口座からサードパーティ口座に送金される資産である。
【００９０】
別の実装形態では、オンライン支払中、支払人は、最初に、資産を支払口座から回収口座に支払うことができ、資産は、支払人ユーザが回収情報を承認するまで、回収口座において凍結される。したがって、回収口座に金額を支払うとき、支払人クライアントデバイスは、支払資産の凍結を解除するようサーバに要求することができ、支払資産は、オンライン支払要求が受信された後、支払口座から回収口座に送金され、凍結される資産である。
【００９１】
前の支払方法のいずれでも、支払人ユーザが回収情報を承認した後にのみ、支払口座から支払われた資産を回収口座に正常に支払うことができ、それによって、オンライン取引セキュリティが向上する。
【００９２】
前述の実装形態のうちのいずれか1つでは、回収情報は、受取人ユーザの識別情報を含むことができる。具体的には、識別情報は、指紋情報、署名情報、IDカード情報、パスポート情報、企業のクレジットコード情報、企業の公式のスタンプ情報、および/または受取人ユーザの識別を承認するために使用されるビデオのうちの1つまたは複数を含むことができる。さらに、回収情報は、支払目的情報(オンライン支払目的および使用を表すために使用される)、保証情報(口座クレジットスコア、保証人の識別情報などとすることができる)、返済方法情報(たとえば、分割払いまたは1回限りの返済、オンライン支払またはオフライン支払など)、および/または返済期限のうちの少なくともいずれか1つをさらに含むことができる。
【００９３】
いくつかの実装形態では、支払人クライアントデバイスが支払金額を受取人クライアントデバイスに送信し、受取人クライアントデバイスが返済方法情報および返済期限を支払人クライアントデバイスに送信する場合、支払人クライアントデバイスが、返済期限の前に、支払金額および返済方法情報に基づいて、返済資産の送信に関する情報を受信した場合、支払人クライアントデバイスは、返済承認情報を受取人クライアントデバイスに戻すことができる。返済承認情報は、受取人によって返済された金額を、支払人によって受信するための証拠として使用することができる。むしろ、支払人クライアントデバイスが、返済期限の前に、支払金額および返済方法情報に基づいて送信された返済資産を受信していない場合、支払人クライアントデバイスは、回収口座を凍結するようサーバに要求する、または、回収口座の口座クレジットスコアを差し引くようサーバに要求することができる。
【００９４】
一実装形態では、支払人クライアントデバイスが、所定の期間内に、受取人クライアントデバイスによって戻された回収情報を受信していない場合、支払人クライアントデバイスは、タイムアウトプロンプト情報を受取人クライアントデバイスに送信することができる。所定の時間期間は、1時間、3日などとすることができる。タイムアウトプロンプト情報は、受取人クライアントデバイスに送信され、したがって、受取人ユーザは、取引の遅延を回避するために、時間内に回収情報を提供するようにリマインドされ得る。
【００９５】
一実装形態では、指定されたアイテムの回収情報が受取人クライアントデバイスに要求されるとき、受取人によって回収情報を戻すための期限をさらに送信することができる。オンライン支払要求が受信された後、支払資産が支払口座からサードパーティ口座に支払われたが、指定された時間内に受取人クライアントデバイスによって送信された回収情報が受信されていない場合、支払資産取出し要求をサードパーティ口座に送信することができ、支払資産は、オンライン支払要求が受信された後、支払口座からサードパーティ口座に送金される資産である。
【００９６】
オンライン支払要求が受信された後、支払資産が支払口座から回収口座に支払われ、回収口座の資産が凍結されたが、指定された時間内に受取人クライアントデバイスによって送信された回収情報が受信されていない場合、支払資産取出し要求をサーバに送信することができ、支払資産は、オンライン支払要求が受信された後、支払口座から回収口座に送金され、凍結される資産である。
【００９７】
前の資産取出し方法のいずれにおいても、支払われた資産は、受取人が時間内に回収情報を返却できなかったときに、取り出すことができる。資産が間違った回収口座に支払われたとき、支払人の資金の安全性は資産取出しを介して保証することができる。
【００９８】
一実装形態では、金額が回収口座に支払われる前に、支払人ユーザによって入力された支払パスワードを受信することができ、支払パスワードを検証することができる。支払パスワードの検証が成功した後にのみ、金額が回収口座に支払われ、これによって、他のユーザが支払口座をオンライン支払に使用するリスクが軽減され、それによって、オンライン支払のセキュリティがさらに向上する。
【００９９】
図4に示されるように、本明細書の一実装形態は、オンライン支払プロセスにおけるデータ処理のための方法を提供する。この方法は、図1に示されるシステムにおける受取人クライアントデバイスによって実行することができる。この方法は、以下のステップ402からステップ406を含むことができる。
【０１００】
ステップ402:支払人クライアントデバイスによって送信された回収情報取得要求を受信し、回収情報取得要求は、指定されたアイテムの回収情報を取得するために使用され、指定されたアイテムの回収情報は、支払人ユーザと支払合意を確立するために使用される。
【０１０１】
ステップ404:回収情報取得要求に基づいて対応する回収情報を取得し、回収情報に基づいて支払合意を生成し、回収情報を支払人クライアントデバイスに送信する。
【０１０２】
ステップ406:支払資産を受信し、支払資産は、支払人クライアントデバイスが回収情報についての支払人ユーザの承認命令を受信した後に支払人クライアントデバイスによって支払われる。
【０１０３】
一実装形態では、回収情報を回収口座にバインドすることができる。したがって、受取人クライアントデバイスは、回収情報を取得すると、回収口座にバインドされた回収情報を読み取り、次いで、支払人クライアントデバイスによって送信された回収情報取得要求に基づいて回収情報から対応する回収情報を選択することができる。さらに、回収口座にバインドされた回収情報が受取人クライアントデバイスによって要求された回収情報を含まない場合、受取人クライアントデバイスは、別の方法を使用することによって必要な回収情報を取得することができる。たとえば、受取人クライアントデバイスは、インテリジェント端末から回収情報を読み取ることができ、または、受取人クライアントデバイスは、対応する装置を呼び出して回収情報を取得することができ、または、受取人クライアントデバイスは、回収情報を入力するようユーザに要求することができ、または、受取人クライアントデバイスは、回収情報を含むファイルを受信することができる。
【０１０４】
一実装形態では、受取人クライアントデバイスは、支払人クライアントデバイスによって送信された支払情報をさらに受信することができる。さらに、支払合意は、支払情報をさらに含むことができる。任意選択で、支払情報は、支払人ユーザの識別情報、支払方法、支払口座、および/または支払金額のうちの少なくともいずれか1つを含むことができる。
【０１０５】
前述の実装形態のうちのいずれか1つでは、回収情報は、受取人ユーザの識別情報を含むことができる。具体的には、識別情報は、指紋情報、署名情報、IDカード情報、パスポート情報、企業のクレジットコード情報、企業の公式のスタンプ情報、および/または受取人ユーザの識別を承認するために使用されるビデオのうちの1つまたは複数を含むことができる。
【０１０６】
一実装形態では、支払メッセージを受信した後、受取人ユーザは、さらに、支払メッセージをクリックして、支払情報および必要な回収情報を閲覧することができる。図3(E)に示されるように、支払メッセージは、支払時間情報(2017年1月1日)、支払人(Zhang San)、受取人(Li Si)、支払金額(12,345円)、返済期間(6か月)、および保証情報(Zhima Credit(Jiebei limit))を含む。支払メッセージは、支払人によって必要とされる回収情報アイテム(指紋、署名、IDカード)をさらに含む。
【０１０７】
回収情報が指紋情報を含む場合、受取人クライアントデバイスは、指紋情報を取得するために、回収情報取得要求に基づいて、指紋認識のために指紋認識装置を呼び出すことができる。図3(F)に示されるように、受取人クライアントデバイスは、指紋取得プロンプトを受取人ユーザに送信して、受取人ユーザの指紋を取得することができ、支払人ユーザは、ホームボタンを押し続けて、指紋入力を完了することができる。
【０１０８】
図3(G)に示されるように、回収情報が署名情報を含んでいる場合、受取人クライアントデバイスは、署名取得プロンプトを受取人ユーザに送信して、受取人ユーザの署名を取得することができ、受取人ユーザは、署名の入力を完了するために、クライアントデバイスの動作インターフェースにおいて署名を手書きすることができる。
【０１０９】
回収情報が写真またはビデオを含んでいる場合、受取人クライアントデバイスは、IDカードの写真、パスポートの写真、企業のクレジットコード証明書の写真、企業の公式のスタンプ写真、および/または、受取人ユーザの識別を承認するために使用されるビデオを取得するために、回収情報取得要求に基づいて撮影するためのカメラを呼び出すことができる。カメラは、内蔵カメラまたは外部カメラとすることができる。図3(H)に示されるように、受取人クライアントデバイスは、ユーザにIDカード写真取得プロンプトを送信して、表および裏のIDカード写真を取得することができる。受取人ユーザの口座がIDカード番号にバインドされている場合、ユーザはさらに、バインドされたIDカード番号と一致するIDカードの写真を入力するように促され得る。
【０１１０】
一実装形態では、回収情報は、支払目的情報、保証情報、返済方法情報、および/または返済期限のうちの少なくともいずれか1つをさらに含むことができる。さらに、受取人クライアントデバイスはさらに、返済リマインダ情報を受取人ユーザにプッシュすることができ、返済リマインダ情報は、返済期限の前に、支払金額および返済方法情報に基づいて支払口座に返済資産を送信するように受取人ユーザを促すために使用される。
【０１１１】
回収情報が支払人クライアントデバイスに送信された後、受取人が資産を受け取ったことを通知するために、回収メッセージが支払人クライアントデバイスにさらに送信され得る。加えて、受取人ユーザは、クリックして合意および受信記録を閲覧することができる。図3(I)に示されるように、支払メッセージは、テキスト情報「合意が完了し、回収が成功したことを承認し、合意および受信記録を閲覧する」を含む。
【０１１２】
本明細書の一実装形態におけるオンライン支払プロセスでのデータ処理のための方法の全体的なプロセスは、以下の通りである。
【０１１３】
ステップ1:支払人は「合意」の転送を開始する。
【０１１４】
ステップ2:支払人は、ローンなどの合意方法を選択する。
【０１１５】
ステップ3:支払人は、指紋やIDカード番号(住宅ローン保証、たとえばYu'E Bao残高保証を含む)など証拠として受取人が提供する必要のある回収情報を選択する。
【０１１６】
ステップ4:合意の選択後、支払人は、支払金額およびパスワードを入力して、受取人に金額を支払う。
【０１１７】
ステップ5:支払人は、受取人から「合意」支払プロンプトを受信する。
【０１１８】
ステップ6:受取人が合意転送ダイアログボックスをクリックして、合意内容を閲覧する。
【０１１９】
ステップ7:受取人は、支払人によって必要とされると、指紋やIDカードなどの回収情報を提供し、合意を承認する。
【０１２０】
ステップ8:受取人は、合意が完了したことを承認し、金額を受け取り、支払人は、受取人によって承認された法的に有効な合意(約束手形など)を受け取る。
【０１２１】
オンライン支払プロセスにおけるデータ処理のための方法の以前の実装形態に対応して、本明細書の実装形態は、オンライン支払プロセスにおいてデータをデータ処理するための装置、コンピュータ記憶媒体、およびコンピュータデバイスの実装形態をさらに提供する。
【０１２２】
図5は、本明細書の例示的な実装形態による、オンライン支払プロセスにおけるデータ処理のための装置500を示すブロック図である。装置は、オンライン支払要求が受信された後、指定されたアイテムの回収情報を受取人クライアントデバイスに要求するように構成された第1の要求モジュール502であり、受取人ユーザとの支払合意を確立するために、指定されたアイテムの回収情報が使用される、第1の要求モジュール502と、回収情報に基づいて受取人クライアントデバイスによって戻された支払合意が取得された後、回収情報についての支払人ユーザの承認命令が受信された場合、回収口座に金額を支払うように構成された支払モジュール504とを含む。
【０１２３】
装置内の各モジュールの機能の特定の実装プロセスについては、支払人クライアントデバイスによって実行された以前の方法の対応するステップの実装プロセスを参照することができる。簡単のために、ここでは詳細は省略する。
【０１２４】
図6は、本明細書の例示的な実装形態による、オンライン支払プロセスにおけるデータ処理のための別の装置600を示すブロック図である。装置は、支払人クライアントデバイスによって送信された回収情報取得要求を受信するように構成された第1の受信モジュール602であり、回収情報取得要求は、指定されたアイテムの回収情報を取得するために使用され、指定されたアイテムの回収情報は、支払人ユーザと支払合意を確立するために使用される、第1の受信モジュール602と、回収情報取得要求に基づいて対応する回収情報を取得し、回収情報に基づいて支払合意を生成し、回収情報を支払人クライアントデバイスに送信するように構成された取得モジュール604と、支払資産を受信するように構成された回収モジュール606であり、支払資産は、支払人クライアントデバイスが回収情報についての支払人ユーザの承認命令を受信した後に支払人クライアントデバイスによって支払われる、回収モジュール606とを含む。
【０１２５】
装置内の各モジュールの機能の特定の実装プロセスについては、受取人クライアントデバイスによって実行された以前の方法の対応するステップの実装プロセスを参照することができる。簡単のために、ここでは詳細は省略する。
【０１２６】
本明細書におけるオンライン支払プロセスにおけるデータ処理のための装置の実装形態は、たとえば、サーバまたは端末デバイスなどのコンピュータデバイスに適用可能である。装置実装形態は、ソフトウェア、ハードウェア、またはハードウェアとソフトウェアの組合せによって実装することができる。ソフトウェアの実装が一例として使用される。論理装置として、装置は、対応するコンピュータプログラム命令を、装置が配置されているコンピュータデバイスのプロセッサによって不揮発性メモリからメモリに読み取ることによって形成される。ハードウェアに関して、図7は、本明細書においてオンライン支払プロセスにおけるデータ処理のための装置が配置されているコンピュータデバイスを示す構造ハードウェア図である。図7に示されるプロセッサ702、メモリ704、ネットワークインターフェース706、および不揮発性メモリ708に加えて、通常、本実装形態において装置が配置されるサーバまたは電子デバイスは、コンピュータデバイスの実際の機能に基づいて、他のハードウェアをさらに含むことができる。簡単のために、ここでは詳細は省略する。
【０１２７】
装置実装形態は、基本的に、方法実装形態に対応するので、関連する部分については、方法実装形態のいくつかの説明を参照できる。前に説明した装置実装形態は、一例にすぎない。別々の部分として記載されているモジュールは、物理的に別個であってもなくてもよく、モジュールとして表示されている部分は、物理モジュールであってもなくてもよく、すなわち、1つの位置に配置されても複数のネットワークモジュールに分散されてもよい。本明細書の解決策の目的を達成するために、モジュールの一部または全部を、実際のニーズに基づいて選択することができる。当業者は、創造的な取り組みなしに本明細書の実装形態を理解し実施することができる。
【０１２８】
これに対応して、本明細書の一実装形態は、さらにコンピュータ記憶媒体を提供し、記憶媒体は、プログラムを記憶し、前述の実装形態のうちのいずれか1つにおけるオンライン支払プロセスにおけるデータ処理のための方法は、プログラムがプロセッサによって実行されるときに実装される。
【０１２９】
これに対応して、本明細書の一実装形態は、メモリ、プロセッサ、およびメモリに記憶され、プロセッサ上で実行できるコンピュータプログラムを含むコンピュータデバイスをさらに提供し、プロセッサは、プログラムの実行時に、以前の実装形態のうちのいずれか1つでのオンライン支払プロセスでのデータ処理のための方法を実行する。
【０１３０】
本出願は、プログラムコードを含む1つまたは複数の記憶媒体(限定はしないが、磁気ディスクメモリ、CD-ROM、光メモリなどを含む)上に実装されるコンピュータプログラム製品の形態を使用することができる。コンピュータ使用可能記憶媒体は、任意の方法または技術を使用して情報を記憶することができる持続的、非持続的、移動可能、および移動不能の媒体を含む。情報は、コンピュータ可読命令、データ構造、プログラムモジュール、または他のデータとすることができる。コンピュータ記憶媒体の例には、限定はしないが、相変化メモリ(PRAM)、スタティックランダムアクセスメモリ(SRAM)、ダイナミックランダムアクセスメモリ(DRAM)または別のタイプのランダムアクセスメモリ(RAM)、読取り専用メモリ(ROM)、電気的消去可能プログラマブル読取り専用メモリ(EEPROM)、フラッシュメモリまたは別のメモリ技術、コンパクトディスク読取り専用メモリ(CD-ROM)、デジタル多用途ディスク(DVD)または別の光学ストレージ、磁気カセット、磁気テープ/磁気ディスクメモリまたは別の磁気記憶デバイス、あるいは任意の他の非送信媒体がある。コンピュータ記憶媒体は、コンピューティングデバイスによってアクセスされ得る情報を記憶するように構成することができる。
【０１３１】
たとえば、本明細書の実装形態における支払関連の技術キャリアは、たとえば、近距離通信(NFC)、WIFI、3G/4G/5G、POSカードリーダ技術、QRコード(登録商標)走査技術、バーコード走査技術、Bluetooth、赤外線、ショートメッセージサービス(SMS)、およびマルチメディアメッセージサービス(MMS)を含むことができる。
【０１３２】
当業者は、本明細書を熟考し、本明細書に開示された本明細書を実践した後、本明細書の他の実装形態を容易に理解することができる。本明細書は、本明細書のあらゆる変形、使用、または適合をカバーするためのものであり、これらの変形、使用、または適合は、本明細書の一般原則に準拠し、本明細書の技術分野に開示されていない一般的な知識または従来の技術を含む。本明細書および実装形態は単に例として考慮され、本明細書の実際の範囲および意図は、以下の特許請求の範囲によって指摘される。
【０１３３】
本明細書は、添付の図面に示される前述の正確な構造に限定されず、本明細書の範囲から逸脱することなく、様々な修正および変更を行うことができることを理解する価値がある。本明細書の範囲は、添付の特許請求の範囲によってのみ限定される。
【０１３４】
前述の説明は、本明細書の好適な実装形態にすぎず、本明細書を限定するためのものではない。本明細書の意図および原理から逸脱することなく行われる任意の変更、等価の置換、または改良は、本明細書の保護範囲内に含まれるものとする。
【符号の説明】
【０１３５】
100  オンライン支払システム
102  支払人クライアントデバイス
104  インテリジェント端末
106  支払人ユーザ
108  受取人クライアントデバイス
110  インテリジェント端末
112  受取人ユーザ
302  支払制御
304  ポップアップウィンドウ
500  装置
502  第1の要求モジュール
504  支払モジュール
600  装置
602  第1の受信モジュール
604  取得モジュール
606  回収モジュール
702  プロセッサ
704  メモリ
706  ネットワークインターフェース
708  不揮発性メモリ
【図１】
2021515285.tif 000003
【図２】
2021515285.tif 000004
【図３（Ａ）】
2021515285.tif 000005
【図３（Ｂ）】
2021515285.tif 000006
【図３（Ｃ）】
2021515285.tif 000007
【図３（Ｄ）】
2021515285.tif 000008
【図３（Ｅ）】
2021515285.tif 000009
【図３（Ｆ）】
2021515285.tif 000010
【図３（Ｇ）】
2021515285.tif 000011
【図３（Ｈ）】
2021515285.tif 000012
【図３（Ｉ）】
2021515285.tif 000013
【図４】
2021515285.tif 000014
【図５】
2021515285.tif 000015
【図６】
2021515285.tif 000016
【図７】
2021515285.tif 000017
【手続補正書】
【提出日】令和2年8月26日(2020.8.26)
【手続補正１】
【補正対象書類名】特許請求の範囲
【補正対象項目名】全文
【補正方法】変更
【補正の内容】
【特許請求の範囲】
【請求項１】
オンライン支払プロセスにおけるデータ処理のための方法であって、
オンライン支払要求を受信した後、指定されたアイテムの回収情報を受取人クライアントデバイスに要求するステップであって、受取人ユーザとの支払合意を確立するために、前記指定されたアイテムの前記回収情報が使用される、ステップと、
前記回収情報に基づいて前記受取人クライアントデバイスによって戻された支払合意を取得した後、前記回収情報についての支払人ユーザの承認命令を受信した場合、回収口座に金額を支払うステップと
を含む方法。
【請求項２】
指定されたアイテムの回収情報を受取人クライアントデバイスに要求する前記ステップの前に、
動作インターフェース上で回収情報アイテムを選択するためのポップアップウィンドウをプッシュするステップと、
前記ポップアップウィンドウ上の回収情報アイテムについての前記支払人ユーザの選択命令を受信するステップと、
前記選択命令に基づいて、前記指定されたアイテムを決定するステップと
をさらに含むか、または
指定されたアイテムの前記回収情報を受取人クライアントデバイスに要求する前記ステップの前に、
前記支払人ユーザによってアップロードされたファイルを受信するステップであって、前記指定されたアイテムが前記ファイルに記録されている、ステップ
をさらに含む、請求項1に記載の方法。
【請求項３】
支払情報を前記受取人クライアントデバイスに送信するステップ
をさらに含む、請求項1に記載の方法。
【請求項４】
指定されたアイテムの回収情報を受取人クライアントデバイスに要求する前記ステップは、
前記支払情報および前記指定されたアイテムに基づいて支払合意を生成するステップと、
前記回収情報を要求するために、前記支払合意を前記受取人クライアントデバイスに送信するステップと
を含み、かつ
前記支払情報は、前記支払人ユーザの識別情報、支払方法、支払口座、および/または支払金額のうちの少なくともいずれか1つを含む、請求項3に記載の方法。
【請求項５】
回収口座に金額を支払う前記ステップは、
支払資産を前記回収口座に送金するようサードパーティ口座に要求するステップであって、前記支払資産は、前記オンライン支払要求が受信された後、支払口座から前記サードパーティ口座に送金される資産である、ステップ
を含むか、または
回収口座に金額を支払う前記ステップは、
支払資産の凍結を解除するようサーバに要求するステップであって、前記支払資産は、前記オンライン支払要求が受信された後、支払口座から前記回収口座に送金され、凍結される資産である、ステップ
を含む、請求項1に記載の方法。
【請求項６】
前記回収情報は、前記受取人ユーザの識別情報を含み、
前記識別情報は、指紋情報、署名情報、IDカード情報、パスポート情報、企業のクレジットコード情報、企業の公式のスタンプ情報、および/または前記受取人ユーザの識別を承認するために使用されるビデオのうちの少なくともいずれか1つを含み、または
前記回収情報は、支払目的情報、保証情報、返済方法情報、および/または返済期限のうちの少なくともいずれか1つをさらに含む、請求項1から5のいずれか一項に記載の方法。
【請求項７】
前記返済期限の前に、前記支払金額および前記返済方法情報に基づいて返済資産を送信することに関する情報を受信した場合、返済承認情報を前記受取人クライアントデバイスに戻すステップ
をさらに含むか、または
前記返済期限の前に、前記支払金額および前記返済方法情報に基づいて返済資産を送信することに関する情報を受信していない場合、前記回収口座を凍結するようサーバに要求するステップ
をさらに含むか、または
前記返済期限の前に、前記支払金額および前記返済方法情報に基づいて返済資産を送信することに関する情報を受信していない場合、前記回収口座の口座クレジットスコアを差し引くよう前記サーバに要求するステップ
をさらに含む、請求項6に記載の方法。
【請求項８】
所定の時間期間内に、前記受取人クライアントデバイスによって戻された回収情報を受信していない場合、タイムアウトプロンプト情報を前記受取人クライアントデバイスに送信するステップ
をさらに含むか、または
所定の時間期間内に、前記受取人クライアントデバイスによって戻された回収情報を受信していない場合、支払資産取出し要求をサードパーティ口座に送信するステップであって、前記支払資産は、前記オンライン支払要求が受信された後、支払口座から前記サードパーティ口座に送金される資産である、ステップ
をさらに含むか、または
所定の時間期間内に、前記受取人クライアントデバイスによって戻された回収情報を受信していない場合、支払資産取出し要求をサーバに送信するステップであって、前記支払資産は、前記オンライン支払要求が受信された後、支払口座から前記回収口座に送金され、凍結される資産である、ステップ
をさらに含む、請求項1に記載の方法。
【請求項９】
回収口座に金額を支払う前記ステップの前に、
前記支払人ユーザによって入力された支払パスワードを受信するステップと、
前記支払パスワードを検証するステップと
をさらに含む、請求項1に記載の方法。
【請求項１０】
オンライン支払プロセスにおけるデータ処理のための方法であって、
支払人クライアントデバイスによって送信された回収情報取得要求を受信するステップであって、前記回収情報取得要求は、指定されたアイテムの回収情報を取得するために使用され、前記指定されたアイテムの前記回収情報は、支払人ユーザと支払合意を確立するために使用される、ステップと、
前記回収情報取得要求に基づいて対応する回収情報を取得し、前記回収情報に基づいて支払合意を生成し、前記回収情報を前記支払人クライアントデバイスに送信するステップと、
支払資産を受信するステップであって、前記支払資産は、前記支払人クライアントデバイスが前記回収情報について前記支払人ユーザの承認命令を受信した後に前記支払人クライアントデバイスによって支払われる、ステップと
を含む方法。
【請求項１１】
前記回収情報取得要求に基づいて前記対応する回収情報を取得する前記ステップは、
回収口座にバインドされた回収情報を読み取るステップと、
前記回収情報取得要求に基づいて、前記回収情報から前記対応する回収情報を選択するステップと
を含む、請求項10に記載の方法。
【請求項１２】
前記支払人クライアントデバイスによって送信された支払情報を受信するステップ
をさらに含む、請求項11に記載の方法。
【請求項１３】
前記支払合意は、前記支払情報をさらに含むか、または
前記支払情報は、前記支払人ユーザの識別情報、支払方法、支払口座、および/または支払金額のうちの少なくともいずれか1つを含む、請求項12に記載の方法。
【請求項１４】
前記回収情報は、受取人ユーザの識別情報を含み、
前記識別情報は、指紋情報、署名情報、IDカード情報、パスポート情報、企業のクレジットコード情報、企業の公式のスタンプ情報、および/または前記受取人ユーザの識別を承認するために使用されるビデオのうちの少なくともいずれか1つを含み、または
前記回収情報は、支払目的情報、保証情報、返済方法情報、および/または返済期限のうちの少なくともいずれか1つをさらに含む、請求項10から13のいずれか一項に記載の方法。
【請求項１５】
IDカードの写真、パスポートの写真、企業のクレジットコード証明書の写真、企業の公式のスタンプ写真、および/または、前記受取人ユーザの前記識別を承認するために使用される前記ビデオを取得するために、前記回収情報取得要求に基づいて撮影するためのカメラを呼び出すステップ、または
前記指紋情報を取得するために、前記回収情報取得要求に基づいて、指紋認識のために指紋認識装置を呼び出すステップ
をさらに含む、請求項14に記載の方法。
【請求項１６】
返済リマインダ情報を前記受取人ユーザにプッシュするステップであって、前記返済リマインダ情報は、前記返済期限の前に、前記支払金額および前記返済方法情報に基づいて前記支払口座に返済資産を送信するように前記受取人ユーザを促すために使用される、ステップ
をさらに含む、請求項14に記載の方法。
【請求項１７】
オンライン支払プロセスにおけるデータ処理のための装置であって、
オンライン支払要求が受信された後、指定されたアイテムの回収情報を受取人クライアントデバイスに要求するように構成された第1の要求モジュールであって、受取人ユーザとの支払合意を確立するために、前記指定されたアイテムの前記回収情報が使用される、第1の要求モジュールと、
前記回収情報に基づいて前記受取人クライアントデバイスによって戻された支払合意が取得された後、前記回収情報についての支払人ユーザの承認命令が受信された場合、回収口座に金額を支払うように構成された支払モジュールと
を含む装置。
【請求項１８】
オンライン支払プロセスにおけるデータ処理のための装置であって、
支払人クライアントデバイスによって送信された回収情報取得要求を受信するように構成された第1の受信モジュールであって、前記回収情報取得要求は、指定されたアイテムの回収情報を取得するために使用され、前記指定されたアイテムの前記回収情報は、支払人ユーザと支払合意を確立するために使用される、第1の受信モジュールと、
前記回収情報取得要求に基づいて対応する回収情報を取得し、前記回収情報に基づいて支払合意を生成し、前記回収情報を前記支払人クライアントデバイスに送信するように構成された取得モジュールと、
支払資産を受信するように構成された回収モジュールであって、前記支払資産は、前記支払人クライアントデバイスが前記回収情報についての前記支払人ユーザの承認命令を受信した後に前記支払人クライアントデバイスによって支払われる、回収モジュールと
を含む装置。
【請求項１９】
コンピュータプログラムを記憶したコンピュータ可読記憶媒体であって、前記プログラムがプロセッサによって実行されると、請求項1から16のいずれか一項に記載の方法が実施される、コンピュータ可読記憶媒体。
【請求項２０】
メモリと、プロセッサと、前記メモリに記憶され、前記プロセッサ上で実行可能なコンピュータプログラムとを備え、前記プロセッサが、前記プログラムを実行すると、請求項1から16のいずれか一項に記載の方法を実施する、コンピュータデバイス。
【国際調査報告】
2021515285.tif 000018
2021515285.tif 000019
2021515285.tif 000020
2021515285.tif 000021